(57)【特許請求の範囲】
【請求項１】
天井面に開設される天井開口に嵌挿固定される方形状の外枠と、上記外枠の対向する二辺の端部側との間に介設される回動部材を介して外枠に対して回動可能に軸支され、内部に蓋材が設けられる方形状の内枠とを具備する天井点検口であって、
上記外枠及び内枠は、それぞれ垂直片と、この垂直片の下端部に水平に延設されるフランジ部とを設け、
上記外枠及び内枠のうちの一方の枠の上記回動部材側の上記フランジ部に、上記内枠が回動する際の干渉を回避するための切欠きを設け、
上記内枠の上記回動部材側の二辺と回動自由端側の一辺とからなる開閉側三辺の上記フランジ部を上記外枠の開閉側三辺のフランジ部の下面に重なり合う範囲に延設し、上記内枠の残りの基端側一辺におけるフランジ部を上記開閉側三辺のフランジ部と上下逆の状態で上記外枠の上面に重なり合う範囲に延設し、
上記外枠及び内枠のフランジ部の重なり合う部分における一方のフランジ部の対向面に気密材を装着し、
上記フランジ部における上記切欠き部には、上記内枠が閉鎖された状態で上記外枠と内枠の隙間を塞ぐ隙間塞ぎ材を配設してなる、
ことを特徴とする天井点検口。
【請求項２】
請求項１記載の天井点検口において、
上記内枠の回動部材側のフランジ部に、上記切欠きを設け、
上記内枠の開閉側三辺に延設される外方フランジ部を、上記外枠の開閉側三辺に延設される外方フランジ部の下面に重なり合うように形成し、
上記内枠の基端側一辺に延設される外方フランジ部を、上記外枠の基端側一辺に延設される内方フランジ部の上面に重なり合うように形成してなる、
ことを特徴とする天井点検口。
【請求項３】
請求項１記載の天井点検口において、
上記外枠の回動部材側のフランジ部に、上記切欠きを設け、
上記内枠の開閉側三辺に延設される外方フランジ部を、上記外枠の開閉側三辺に延設される内方フランジ部の下面に重なり合うように形成し、
上記内枠の基端側一辺に延設される外方フランジ部を、上記外枠の基端側一辺に延設される内方フランジ部の上面に重なり合うように形成してなる、
ことを特徴とする天井点検口。
【請求項４】
請求項２記載の天井点検口において、
上記内枠の開閉側三辺に延設される外方フランジ部の上面に、上記外枠の開閉側三辺に延設されるフランジ部が収容可能な外方段部を形成し、
上記外枠の基端側一辺に延設される内方フランジ部の上面に、上記内枠の基端側一辺に延設されるフランジ部が収容可能な内方段部を形成してなる、
ことを特徴とする天井点検口。
【請求項５】
請求項３記載の天井点検口において、
上記外枠の開閉側三辺に延設される内方フランジ部の下面に、上記内枠の開閉側三辺に延設される外方フランジ部が収容可能な内方段部を形成し、
上記内枠の基端側一辺に延設される外方フランジ部の下面に、上記外枠の基端側一辺に延設される内方フランジ部が収容可能な外方段部を形成してなる、
ことを特徴とする天井点検口。
【発明の詳細な説明】
【技術分野】
【０００１】
この発明は天井点検口に関するものである。
【背景技術】
【０００２】
従来、天井面に開設される天井開口に嵌挿固定される方形状の外枠と、この外枠との間に介在される回動部材によって回動可能に形成され、内部に蓋材が設けられる方形状の内枠とを具備する天井点検口が知られている。この天井点検口において、気密効果を付加させる場合、天井裏側と室内側に空気の流入を遮断させる目的で、内枠と外枠の接する部分に気密材を取り付けて、気密性能を持たせる方法が採用されている。
【０００３】
この場合、気密材は内枠と外枠の重なり合う部分であれば、その取付位置は内枠側でも外枠側でもよく、又は、その取付位置が室内に近い枠の縁部でも、天井裏側になる枠の先端部のいずれであってもよい。
【０００４】
一方、天井裏の設備点検を目的として、内枠を開閉させるための回動機構には種々の構造のものが採用されている。しかし、気密性能を持たせるため、内枠と外枠の重なり合う部分の周囲全てに渡って気密性能を発揮させるためには、回動軸と軸受からなる回動機構では、回動中心に対して自由端側と基端側が逆方向に回動するため対応できない。
【０００５】
そこで、従来の回動機構として、一方の端部が内枠に回動可能に連結される複数本のアームと、各アームの他方の端部がそれぞれ回動可能に連結され、かつ、その連結状態のまま外枠に取り付けられる取付部材とを有する構造のものが知られている（例えば、特許文献１参照）。
【先行技術文献】
【特許文献】
【０００６】
【特許文献１】特開２００８−２８０７８０号公報（特許請求の範囲、図１，図５）
【発明の概要】
【発明が解決しようとする課題】
【０００７】
しかしながら、特許文献１に記載のものにおいては、複数のアームと軸部を有するため、部品点数が多くなりコストが嵩むと共に、内枠を取り付ける際に工具やねじ類が必要になる等の問題がある。
【０００８】
この発明は、上記事情に鑑みてなされたもので、軸部と軸受けとからなる回動機構を用いて気密性の維持を図れるようにした天井点検口を提供することを目的とする。
【課題を解決するための手段】
【０００９】
上記課題を解決するため、この発明は、天井面に開設される天井開口に嵌挿固定される方形状の外枠と、上記外枠の対向する二辺の端部側との間に介設される回動部材を介して外枠に対して回動可能に軸支され、内部に蓋材が設けられる方形状の内枠とを具備する天井点検口であって、  上記外枠及び内枠は、それぞれ垂直片と、この垂直片の下端部に水平に延設されるフランジ部とを設け、  上記外枠及び内枠のうちの一方の枠の上記回動部材側の上記フランジ部に、上記内枠が回動する際の干渉を回避するための切欠きを設け、  上記内枠の上記回動部材側の二辺と回動自由端側の一辺とからなる開閉側三辺の上記フランジ部を上記外枠の開閉側三辺のフランジ部の下面に重なり合う範囲に延設し、上記内枠の残りの基端側一辺におけるフランジ部を上記開閉側三辺のフランジ部と上下逆の状態で上記外枠の上面に重なり合う範囲に延設し、  上記外枠及び内枠のフランジ部の重なり合う部分における一方のフランジ部の対向面に気密材を装着し、  上記フランジ部における上記切欠き部には、上記内枠が閉鎖された状態で上記外枠と内枠の隙間を塞ぐ隙間塞ぎ材を配設してなる、ことを特徴とする（請求項１）。
【００１０】
このように構成することにより、外枠及び内枠のうちの少なくとも一方の枠の回動部材側のフランジ部に設けられた切欠きによって、外枠と内枠は互いに干渉することなく、内枠及び蓋材を開閉することができる。また、内枠の閉鎖状態において、内枠の開閉側三辺のフランジ部を外枠の開閉側三辺のフランジ部の下面に重ね合わせ、内枠の基端側一辺におけるフランジ部を開閉側三辺のフランジ部と上下逆の状態で外枠の上面に重ね合わせることで、重ね合わせ部に介在される気密材によって気密性を持たせることができる。
【００１１】
この発明において、上記内枠の回動部材側のフランジ部に、上記切欠きを設け、上記内枠の開閉側三辺に延設される外方フランジ部を、上記外枠の開閉側三辺に延設される外方フランジ部の下面に重なり合うように形成し、上記内枠の基端側一辺に延設される外方フランジ部を、上記外枠の基端側一辺に延設される内方フランジ部の上面に重なり合うように形成する構造とすることができる（請求項２）。
【００１２】
このように構成することにより、内枠の閉鎖状態において、内枠の開閉側三辺の外方フランジ部を外枠の開閉側三辺のフランジ部の下面に重ね合わせ、内枠の基端側一辺の外方フランジ部を外枠の基端側一辺の内方フランジ部の上面に重ね合わせることで、重ね合わせ部に介在される気密材によって気密性を持たせることができる。
【００１３】
また、この発明において、上記外枠の回動部材側のフランジ部に、上記切欠きを設け、上記内枠の開閉側三辺に延設される外方フランジ部を、上記外枠の開閉側三辺に延設される内方フランジ部の下面に重なり合うように形成し、上記内枠の基端側一辺に延設される外方フランジ部を、上記外枠の基端側一辺に延設される内方フランジ部の上面に重なり合うように形成する構造とすることができる（請求項３）。
【００１４】
このように構成することにより、内枠の閉鎖状態において、内枠の開閉側三辺の外方フランジ部を、外枠の開閉側三辺の内方フランジ部の下面に重ね合わせ、内枠の基端側一辺の外方フランジ部を、外枠の基端側一辺の内方フランジ部の上面に重ね合わせることで、重ね合わせ部に介在される気密材によって気密性を持たせることができる。また、内枠の開閉側三辺の外方フランジ部を、外枠の開閉側三辺の内方フランジ部の下面に重ね合わせることで、内枠のフランジ部を小さくすることができるので、内枠の材料の削減が図れる。
【００１５】
また、請求項２記載の天井点検口においては、上記内枠の開閉側三辺に延設される外方フランジ部の上面に、上記外枠の開閉側三辺に延設されるフランジ部が収容可能な外方段部を形成し、上記外枠の基端側一辺に延設される内方フランジ部の上面に、上記内枠の基端側一辺に延設されるフランジ部が収容可能な内方段部を形成する方が好ましい（請求項４）。
【００１６】
このように構成することにより、内枠の閉鎖状態において、内枠の開閉側三辺のフランジ部の下面と外枠の基端側一辺のフランジ部の下面を同一平面上に位置させることができ、美観の向上を図ることができる。
【００１７】
また、請求項３記載の天井点検口においては、上記外枠の開閉側三辺に延設される内方フランジ部の下面に、上記内枠の開閉側三辺に延設される外方フランジ部が収容可能な内方段部を形成し、上記内枠の基端側一辺に延設される外方フランジ部の下面に、上記外枠の基端側一辺に延設される内方フランジ部が収容可能な外方段部を形成する方が好ましい（請求項５）。
【００１８】
このように構成することにより、内枠の開閉側三辺及び基端側一辺のフランジ部の下面と、外枠の開閉側三辺及び基端側一辺のフランジ部の下面を同一平面上に位置させることができ、美観の向上を図ることができる。
【発明の効果】
【００１９】
この発明によれば、上記のように構成されているので、以下のような優れた効果が得られる。
【００２０】
加工が容易で構成部材の少ない軸部と軸受けとからなる一般の回動機構を用いて気密性の維持を図れるようにし、かつ、取付作業を容易にすると共に、コストの低廉化を図れる天井点検口を提供することができる。
【図面の簡単な説明】
【００２１】
【図１】この発明に係る天井点検口の第１実施形態の閉鎖状態を示す斜視図である。
【図２】上記第１実施形態の天井点検口の開放状態を示す斜視図である。
【図３】上記第１実施形態の天井点検口の閉鎖状態を示す断面図である。
【図４】図３のＩ−Ｉ線に沿う断面図である。
【図５】第１実施形態における外枠と内枠の要部を示す分解斜視図である。
【図６】この発明に係る天井点検口の第２実施形態の閉鎖状態を示す斜視図である。
【図７】上記第２実施形態の天井点検口の開放状態を示す斜視図である。
【図８】上記第２実施形態の天井点検口の閉鎖状態を示す下方斜視図である。
【図９】上記第２実施形態の天井点検口の閉鎖状態を示す断面図である。
【図１０】上記第２実施形態の天井点検口の開放状態を示す断面図である。
【図１１】図９のII部の拡大断面図である。
【図１２】図９のIII部の拡大断面図である。
【図１３】第２実施形態の天井点検口における軸受け部を示す斜視図である。
【図１４】第２実施形態の天井点検口における軸部及び隙間塞ぎ材を示す斜視図である。
【図１５】この発明における施錠部を示す斜視図である。
【発明を実施するための形態】
【００２２】
以下に、この発明に係る天井点検口の実施形態を添付図面に基づいて詳細に説明する。ここでは、天井点検口を一般住宅の天井面に取り付ける場合について説明する。
【００２３】
＜第１実施形態＞
天井点検口１Ａは、図１ないし図４に示すように、天井面２に開設される方形状の天井開口３に嵌挿固定される方形状の外枠１０と、外枠１０の対向する二辺の端部側との間に介設される回動部材３０を介して外枠１０に対して回動可能に軸支され、内部に蓋材２ｂが設けられる方形状の内枠２０とで主に構成されている。また、外枠１０と内枠２０において、内枠２０の閉鎖状態で重なり合う部分には気密材である帯状のパッキン部材４０が介在されて、気密性能が維持されている。
【００２４】
外枠１０は、垂直片１１と、この垂直片１１の下端部に水平に延設される外枠フランジ部１２とを設けた断面逆Ｔ字状のアルミニウム製押出形材にて形成される、３辺の第１の外枠材１３と、１辺の第２の外枠材１４とで方形状に形成されている。この場合、第１の外枠材１３と第２の外枠材１４の両端部を４５度にカットして、隣接する外枠材１３，１４同士を図示しないアングル状の固定金具と固定ねじ等によって当接接合することで、方形状に形成されている。つまり、外枠１０は、回動部材側の二辺と回動自由端側の一辺とからなる開閉側三辺を形成する第１の外枠材１３と、残りの基端側一辺を形成する第２の外枠材１４とで方形状に形成されている。
【００２５】
また、第１の外枠材１３の垂直片１１の下端部に延設される外枠フランジ部１２は、方形状の外枠１０の内方に延在する内方フランジ部１２ａと、外方に延在する外方フランジ部１２ｂとで形成されている。また、第２の外枠材１４の垂直片１１の下端部に延設される外枠フランジ部１２Ａは、方形状の外枠１０の内方に延在する内方フランジ部１２ｃと、外方に延在する外方フランジ部１２ｄとで形成され、第１の外枠材１３に延在される外枠フランジ部１２の肉厚に対して約２倍の厚さの肉厚を有している。なお、第２の外枠材１４の内方フランジ部１２ｃの上面には、後述する内枠２０に延設される内枠フランジ部２２Ａを収容可能な内方段部１５が形成されている。なお、内方段部１５の上面には、気密材である帯状のパッキン部材４０が装着されている。
【００２６】
上記のように形成される外枠１０は、垂直片１１を貫通する固定ねじ４によって天井を構成する野縁５にねじ結合することで、天井側に固定される。
【００２７】
一方、内枠２０は、垂直片２１と、この垂直片２１の下端部に水平に延設される内枠フランジ部２２とを設けた断面逆Ｔ字状のアルミニウム製押出形材にて形成される、３辺の第１の内枠材２３と、１辺の第２の内枠材２４とで方形状に形成されている。この場合、第１の内枠材２３と第２の内枠材２４の両端部を４５度にカットして、隣接する内枠材２３，２４同士を図示しないアングル状の固定金具と固定ねじ等によって当接接合することで、方形状に形成されている。つまり、内枠２０は、回動部材側の二辺と回動自由端側の一辺とからなる開閉側三辺を形成する第１の内枠材２３と、残りの基端側一辺を形成する第２の内枠材２４とで方形状に形成されている。
【００２８】
また、第１の内枠材２３の垂直片２１の下端部に延設される内枠フランジ部２２は、方形状の内枠２０の内方に延在する内方フランジ部２２ａと、外方に延在する外方フランジ部２２ｂとで形成されている。また、第２の内枠材２４の垂直片２１の下端部に延設される内枠フランジ部２２Ａは、方形状の内枠２０の内方に延在する内方フランジ部２２ｃと、外方に延在する外方フランジ部２２ｄとで形成されている。第１の内枠材２３の内枠フランジ部２２の肉厚は、第２の内枠材２４の内枠フランジ部２２Ａに対して約２倍の厚さの肉厚を有している。なお、第１の内枠材２３の外方フランジ部２２ｂの上面には、第１の外枠材１３に延設される外枠フランジ部１２を収容可能な外方段部２５が形成されている。なお、外方段部２５の上面には、気密材である帯状のパッキン部材４０が装着されている。
【００２９】
上記のように形成される内枠２０における第１の内枠材２３の回動部材側の外方フランジ部２２ｂの端部には、内枠２０が回動する際の干渉を回避するための切欠き６０が設けられている。なお、切欠き部は、第１の外枠材１３の内方フランジ部１２ａの上面に装着される中空パッキン部材からなる第１の隙間塞ぎ材５１と、内枠２０の第１の内枠材２３の外方フランジ部２２ｂの切欠き６０の上面に装着される中空パッキン部材からなる第２の隙間塞ぎ材５２とが密着することで、切欠き６０部の隙間が塞がれている（図４参照）。
【００３０】
回動部材３０は、図４及び図５に示すように、内枠２０の対向する二辺を形成する第１の内枠材２３の端部側の垂直片２１の外側面に突設される軸部３１と、外枠１０の対向する二辺を形成する第１の外枠材１３の端部側の垂直片１１の内側面に装着され、軸部３１を回動自在に支承する上端が開口する略Ｕ字状の合成樹脂製の軸受け３２とで構成されている。
【００３１】
上記のように構成される第１実施形態の天井点検口を天井面２に設置するには、まず、天井面２を形成する天井板２ａに矩形状の天井開口３を開設する。なお、予め工場において、それぞれ二種類のアルミニウム製押出形材にて形成される外枠材１３，１４と内枠材２３，２４をそれぞれ枠組みして外枠１０及び内枠２０を形成する。なお、内枠２０には、天井開口３を開設した際に切り取られた天井開口３のサイズにほぼ合致する板材を適宜寸法調整して形成される蓋材２ｂとして内部に固定される。蓋材２ｂの固定は、内枠２０に延設された内枠フランジ部２２，２２Ａの内方フランジ部２２ａ，２２ｃ上に蓋材２ｂを載置した状態で、内枠２０の垂直片２１と蓋材２ｂの端部上面に当接するアングル状の押え金具６をねじ止めして固定する（図４参照）。
【００３２】
天井開口３への天井点検口１Ａの取り付けは、天井開口３の開口周縁部に枠組みされた外枠１０を嵌挿した状態で、外枠１０の垂直片１１を貫通する固定ねじ４を野縁５にねじ結合して外枠１０を固定する。外枠１０を固定した後、切欠き６０部の箇所から内枠２０を外枠１０内に挿入し、内枠２０の垂直片２１に突設された軸部３１を外枠１０の垂直片１１に装着された略Ｕ字状の軸受け３２の上方開口から落とし込むようにして嵌合して、内枠２０を外枠１０に対して開閉可能に取り付ける。
【００３３】
上記のように構成される第１実施形態の天井点検口１Ａによれば、内枠２０の閉鎖状態において、内枠２０の開閉側三辺の第１の内枠材２３に延設された外方フランジ部２２ｂを外枠１０の開閉側三辺の第１の外枠材１３に延設された外枠フランジ部１２の下面に重ね合わせ、内枠２０の基端側一辺の第２の内枠材２４に延設された内枠フランジ部２２Ａを第２の外枠材１４に延設された内方フランジ部１２ｃの上面に重ね合わせることで、重ね合わせ部に介在されるパッキン部材４０によって気密性を持たせることができる。この場合、第１の内枠材２３の外方フランジ部２２ｂの上面に、第１の外枠材１３の外枠フランジ部１２が収容可能な外方段部２５が形成され、また、第２の外枠材１４の内方フランジ部１２ｃの上面には、第２の内枠材２４に延設された内枠フランジ部２２Ａが収容可能な内方段部１５が形成されているので、内枠２０の閉鎖状態において、内枠２０の開閉側三辺の内枠フランジ部２２の下面と外枠１０の基端側一辺の外枠フランジ部１２Ａの下面を同一平面上に位置させることができ、美観の向上を図ることができる。
【００３４】
＜第２実施形態＞
次に、この発明に係る天井点検口の第２実施形態について、図６ないし図１５を参照して説明する。なお、第２実施形態において、第１実施形態と同じ部分には同一符号を付して説明する。
【００３５】
第２実施形態の天井点検口１Ｂは、内枠２０の開閉側三辺の第１の内枠材２３に延設される外方フランジ部２２ｂを、外枠１０の開閉側三辺の第１の外枠材１３に延設される内方フランジ部１２ａの下面に重なり合うように形成し、内枠２０の基端側一辺の第２の内枠材２４に延設される外方フランジ部２２ｄを、外枠１０の基端側一辺の第２の外枠材１４に延設される内方フランジ部１２ｃの上面に重なり合うように形成されている。
【００３６】
この場合、外枠１０の開閉側三辺の第１の外枠材１３に延設される内方フランジ部１２ａの下面側は上方に屈曲された内方段部１６が形成されており、この内方段部１６に内枠２０の第１の内枠材２３に延設される外方フランジ部２２ｂが収容可能になっている（図１１参照）。なお、内方段部１６に収容される第１の内枠材２３に延設される外方フランジ部２２ｂの上面にはパッキン部材４０が装着されて、外枠１０と内枠２０の重なり合う部分の気密性が維持されている。
【００３７】
また、内枠２０の基端側一辺の第２の内枠材２４に延設される外方フランジ部２２ｄの下面側は上方に屈曲された外方段部２６が形成されており、この外方段部２６に外枠１０の第２の外枠材１４に延設される内方フランジ部１２ｃが収容可能になっている（図１２参照）。なお、外方段部２６の下面にはパッキン部材４０が装着されて、外枠１０と内枠２０の重なり合う部分の気密性が維持されている。
【００３８】
なお、第２実施形態における外枠１０を形成する第１の外枠材１３は、図１１に示すように、垂直片１１の中間部に内方側が拡開開口し、外方側に突出するテーパ状の凹部１７が設けられ、垂直片１１の下端部に延設される外枠フランジ部１２の内方フランジ部１２ａに上記内方段部１６を設けたアルミニウム製押出形材にて形成されている。また、第２の外枠材１４は、図１２に示すように、垂直片１１の中間部に内方側が拡開開口し、外方側に突出するテーパ状の凹部１７が設けられ、垂直片１１の下端部に外枠フランジ部１２Ａが延設されるアルミニウム製押出形材にて形成されている。この場合、第１の外枠材１３と第２の外枠材１４の両端部を４５度カットして、隣接する外枠材１３，１４同士をアングル状の固定金具８０によって当接接合し、かしめ加工を施すことで、方形状に形成される（図６，図７参照）。
【００３９】
このように形成される第１及び第２の外枠材１３，１４の凹部１７の適宜位置に穿設される貫通孔１７ａを貫通して野縁５にねじ結合される固定ねじ４の皿状頭部４ａが凹部１７内に収容されるようになっている（図１１、図１２参照）。なお、第１及び第２の外枠材１３，１４の外枠フランジ部１２，１２Ａの外方フランジ部１２ｂ，１２ｄの上面には帯状のパッキン部材４０が装着されており、天井板２ａとの間で気密性が維持されている。
【００４０】
また、第２実施形態における内枠２０を形成する第１の内枠材２３は、図１１に示すように、垂直片２１の下端部に内枠フランジ部２２を延設したアルミニウム製押出形材にて形成されている。また、第２の内枠材２４は、図１２に示すように、垂直片２１の下端部に延設される内枠フランジ部２２Ａの外方フランジ部２２ｄに上記外方段部２６を設けたアルミニウム製押出形材にて形成されている。この場合、第１の内枠材２３と第２の内枠材２４の両端部を４５度カットして、隣接する内枠材２３，２４同士をアングル状の固定金具８０によって当接接合し、かしめ加工を施すことで、方形状に形成される（図６，図７参照）。
【００４１】
また、第２実施形態における回動部材３０Ａは、図１３及び図１４に示すように、第１の内枠材２３と第２の内枠材２４のコーナ部の外側面に装着されるアングル状の金属板３３の一方の片３４をプレス加工によって段状に突設した部分に形成された軸部３１Ａと、第１の外枠材１３の内側面に装着される固定基部３５の表面に、上部側方が開口する軸受け筒部３６を突設した合成樹脂製の軸受け３２Ａとで構成されている。
【００４２】
また、第２実施形態においては、内枠２０が回動する際の干渉を回避するための切欠き６０は、第１の外枠材１３に延設される内方フランジ部１２ａの回動部材３０側の端部に設けられている。この切欠き６０と外枠１０及び内枠２０との隙間を塞ぐために、軟質合成樹脂製の隙間塞ぎ材４０Ａが、第１の内枠材２３に延設される外方フランジ部２２ｂと、第２の内枠材２４の外方フランジ部２２ｄとの上面側に装着されている（図１４参照）。
【００４３】
なお、第２実施形態においては、内枠２０の閉鎖状態を確実にするために、施錠７０が設けられている。この場合、施錠７０は、図１１及び図１５に示すように、内枠２０を形成する第１の内枠材２３の回動自由端部に延設された外方フランジ部２２ｂの上方に立設される軸受け部材７１と、軸受け部材７１に回転自在に嵌挿される操作軸７２と、操作軸７２に直交状に突設されるロック片７３とを具備している。なお、操作軸７２は外方フランジ部２２ｂの下面に露出しており、下端面に形成され凹溝７４にドライバ等の工具を係合させて、操作軸７２の回動操作が可能になっている。これにより、内枠２０及び蓋材２ｂを閉鎖した状態で、操作軸７２の下端面の凹溝７４にドライバ等の工具を係合させて、操作軸７２を回動させ、操作軸７２の回動に伴って水平方向に回動するロック片７３を第１の外枠材１３の内方フランジ部１２ａの上面に係止させることで、内枠２０及び蓋材２ｂの閉鎖状態を確実にすることができる。
【００４４】
上記のように構成される第２実施形態の天井点検口１Ｂによれば、内枠２０の閉鎖状態において、内枠２０の開閉側三辺の第１の内枠材２３に延設される外方フランジ部２２ｂを、外枠１０の開閉側三辺の第１の外枠材１３に延設される内方フランジ部１２ａの下面に重ね合わせ、内枠２０の基端側一辺の第２の内枠材２４に延設される外方フランジ部２２ｄを、外枠１０の基端側一辺の第２の外枠材１４に延設される内方フランジ部１２ｃの上面に重ね合わせることで、重ね合わせ部に介在されるパッキン部材４０によって気密性を持たせることができる。また、内枠２０の開閉側三辺の第１の内枠材２３に延設される外方フランジ部２２ｂを、外枠１０の開閉側三辺の第１の外枠材１３に延設される内方フランジ部１２ａの下面に重ね合わせることで、内枠２０の内枠フランジ部２２を小さくすることができるので、内枠２０の材料の削減が図れる。
【００４５】
なお、第２実施形態において、天井点検口１Ｂの天井面２への取り付けや、その他の部分の構造は、第１実施形態と同じであるので、説明は省略する。
【００４６】
＜その他の実施形態＞
なお、上記実施形態では、外枠１０を天井下地材の野縁５に固定ねじ４によって固定する場合について説明したが、取付金具を用いて外枠１０を野縁５に固定する構造であってもよい。
【００４７】
また、第１実施形態の天井点検口１Ａにおける回動部材３０を第２実施形態と同様な回動部材３０Ａに代えてもよい。更に、第１実施形態の天井点検口１Ａにおいても第２実施形態と同様に施錠７０を取り付けてもよい。
【符号の説明】
【００４８】
１Ａ，１Ｂ  天井点検口
２  天井面
２ａ  天井板
２ｂ  蓋材
３  天井開口
１０  外枠
１１  垂直片
１２，１２Ａ  外枠フランジ部
１２ａ  内方フランジ部
１２ｂ  外方フランジ部
１３  第１の外枠材
１４  第２の外枠材
１５，１６  内方段部
２０  内枠
２１  垂直片
２２，２２Ａ  内枠フランジ部
２２ａ  内方フランジ部
２２ｂ  外方フランジ部
２２ｃ  内方フランジ部
２２ｄ  外方フランジ部
２３  第１の内枠材
２４  第２の内枠材
２５，２６  外方段部
３０，３０Ａ  回動部材
４０  パッキン部材（気密材）
５０，５０Ａ  隙間塞ぎ材
６０  切欠き
【図１】
0005424963.tif 000002
【図２】
0005424963.tif 000003
【図３】
0005424963.tif 000004
【図４】
0005424963.tif 000005
【図５】
0005424963.tif 000006
【図６】
0005424963.tif 000007
【図７】
0005424963.tif 000008
【図８】
0005424963.tif 000009
【図９】
0005424963.tif 000010
【図１０】
0005424963.tif 000011
【図１１】
0005424963.tif 000012
【図１２】
0005424963.tif 000013
【図１３】
0005424963.tif 000014
【図１４】
0005424963.tif 000015
【図１５】
0005424963.tif 000016